(57)【要約】【課題】電子機器に取り付けた場合に、音圧の低下および音質の劣化を抑制する電子機器筐体用カバーを提供する。【解決手段】電子機器筐体用カバー（プロジェクタ筐体用カバー２）は、外部機器と接続ケーブルを介して接続される接続端子（接続端子群１４）と、音声を出力するスピーカ装置１６とを有する電子機器（プロジェクタ１）の筐体１０に取り付けられ、接続端子（接続端子群１４）およびスピーカ装置１６を覆う電子機器筐体用カバーであって、接続ケーブルＣＢが挿通される挿通部２１を有し、筐体１０と対峙する面が開口する箱状のカバー本体２０と、カバー本体２０に設けられ、スピーカ装置１６から出力される音声に音響効果処理を施す音響効果部（フロントロードホーン２２）と、を備える。【選択図】図５
2009157149.tif 000002
【特許請求の範囲】
【請求項１】
外部機器と接続ケーブルを介して接続される接続端子と、音声を出力するスピーカ装置とを有する電子機器の筐体に取り付けられ、前記接続端子および前記スピーカ装置を覆う電子機器筐体用カバーであって、
前記接続ケーブルが挿通される挿通部を有し、前記筐体と対峙する面が開口する箱状のカバー本体と、
前記カバー本体に設けられ、前記スピーカ装置から出力される音声に音響効果処理を施す音響効果部と、
を備えたことを特徴とする電子機器筐体用カバー。
【請求項２】
請求項１に記載の電子機器筐体用カバーであって、
前記音響効果部には、フロントロードホーンが形成されていることを特徴とする電子機器筐体用カバー。
【請求項３】
請求項１または２に記載の電子機器筐体用カバーであって、
前記音響効果部は、ポートを備えたケルトン形エンクロージャを構成していることを特徴とする電子機器筐体用カバー。
【請求項４】
請求項１または２に記載の電子機器筐体用カバーであって、
前記音響効果部は、パッシブラジエータを備えたケルトン形エンクロージャを構成していることを特徴とする電子機器筐体用カバー。
【請求項５】
筐体で覆われた電子機器本体と、請求項１乃至４のいずれか一項に記載の電子機器筐体用カバーとを備えたことを特徴とする電子機器。
【請求項６】
光源と、当該光源から射出された光を変調して光学像を形成する光変調装置と、当該光変調装置で形成された前記光学像を投写する投写光学系と、これらを収容する筐体と、請求項１乃至４のいずれか一項に記載の電子機器筐体用カバーとを備えたことを特徴とするプロジェクタ。
【発明の詳細な説明】
【技術分野】
【０００１】
本発明は、電子機器筐体用カバー、電子機器、および電子機器筐体用カバーを備えたプロジェクタに関する。
【背景技術】
【０００２】
従来、電子機器（例えば、プロジェクタ）において、接続端子群に接続された接続ケーブル等により乱雑な状態となった電子機器筐体の背面側を覆い、接続端子を保護するとともに、電子機器筐体自体の外観を向上させる電子機器筐体用カバーが提案されている（特許文献１参照）。
【０００３】
【特許文献１】特開２００４−２０７４００号公報
【発明の開示】
【発明が解決しようとする課題】
【０００４】
しかし、例えば、プロジェクタにおいては、筐体の背面には、接続端子が設けられるとともにスピーカ装置が設けられることがある。このようなプロジェクタの筐体の背面に電子機器筐体用カバーを取り付けると、スピーカ装置がカバーによって覆われてしまい、スピーカ装置から出力される音声の音圧が低下したり、音質が劣化したりするという問題があった。従って、スピーカ装置を備えた電子機器に取り付けた場合に、音圧の低下および音質の劣化を抑制する電子機器筐体用カバーが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る電子機器筐体用カバーは、外部機器と接続ケーブルを介して接続される接続端子と、音声を出力するスピーカ装置とを有する電子機器の筐体に取り付けられ、前記接続端子および前記スピーカ装置を覆う電子機器筐体用カバーであって、前記接続ケーブルが挿通される挿通部を有し、前記筐体と対峙する面が開口する箱状のカバー本体と、前記カバー本体に設けられ、前記スピーカ装置から出力される音声に音響効果処理を施す音響効果部と、を備えたことを特徴とする。
【０００７】
このような電子機器筐体用カバーによれば、カバー本体に設けられた音響効果部は、スピーカ装置から出力される音声に音響効果処理を施す。これにより、電子機器の筐体に電子機器筐体用カバーを取り付けた際に、接続端子を保護するとともに、音響効果処理によってスピーカ装置が出力する音声の音圧の低下および音質の劣化を抑制することができる。
【０００８】
［適用例２］上記適用例に係る電子機器筐体用カバーにおいて、前記音響効果部には、フロントロードホーンが形成されていることが好ましい。
【０００９】
このような電子機器筐体用カバーによれば、音響効果部には、フロントロードホーンが形成されている。これにより、電子機器の筐体に電子機器筐体用カバーを取り付けた際に、スピーカ装置が出力する音声の中域および高域を増強させることができる。ここで、フロントロードホーンとは、スピーカ装置の前面に取り付けたホーンを示す。
【００１０】
［適用例３］上記適用例に係る電子機器筐体用カバーにおいて、前記音響効果部は、ポートを備えたケルトン形エンクロージャを構成していることが好ましい。
【００１１】
このような電子機器筐体用カバーによれば、音響効果部は、ポートを備えたケルトン形エンクロージャを構成している。これにより、電子機器の筐体に電子機器筐体用カバーを取り付けた際に、スピーカ装置が出力する音声の低域を増強させることができる。ここで、ポートを備えたケルトン形エンクロージャとは、スピーカ装置の前面にポートの開いた箱が形成されたエンクロージャを示す。
【００１２】
［適用例４］上記適用例に係る電子機器筐体用カバーにおいて、前記音響効果部は、パッシブラジエータを備えたケルトン形エンクロージャを構成していることが好ましい。
【００１３】
このような電子機器筐体用カバーによれば、音響効果部は、パッシブラジエータを備えたケルトン形エンクロージャを構成している。これにより、電子機器の筐体に電子機器筐体用カバーを取り付けた際に、スピーカ装置が出力する音声の低域を増強させることができる。ここで、パッシブラジエータとは、駆動系のない振動板（ドロンコーン）を示す。
【００１４】
［適用例５］筐体で覆われた電子機器本体と、上記適用例に係る電子機器筐体用カバーとを備えたことを特徴とする電子機器。
【００１５】
このような電子機器によれば、電子機器は、前述の電子機器筐体用カバーを備えているので、上記と同様の効果を享受することができる。
【００１６】
［適用例６］光源と、当該光源から射出された光を変調して光学像を形成する光変調装置と、当該光変調装置で形成された前記光学像を投写する投写光学系と、これらを収容する筐体と、上記適用例に係る電子機器筐体用カバーとを備えたことを特徴とするプロジェクタ。
【００１７】
このようなプロジェクタによれば、プロジェクタは、前述の電子機器筐体用カバーを備えているので、上記と同様の効果を享受することができる。
【発明を実施するための最良の形態】
【００１８】
以下、電子機器および電子機器筐体用カバーの実施形態として、入力される画像信号に基づく画像を投写して、外部のスクリーン等に表示するプロジェクタおよびプロジェクタ筐体用カバーについて説明する。
【００１９】
（第１の実施形態）
図１は、第１の実施形態に係るプロジェクタを前面から見た斜視図である。
図１に示すように、プロジェクタ１は、その本体が筐体１０で覆われた構成となっており、筐体１０の前面１０ａには投写光学系としての投写レンズ１１を備えている。また、筐体１０の上面には、入力操作部１２を備えている。
【００２０】
図２は、プロジェクタおよびプロジェクタ筐体用カバーを背面から見た斜視図である。
図３は、プロジェクタ筐体用カバーを前面側から見た斜視図である。
【００２１】
図２では、プロジェクタ筐体用カバー２は、プロジェクタ１の筐体１０の背面１０ｂに対峙した位置に配置されている。
図２に示すように、プロジェクタ１は、筐体１０の背面１０ｂに、電源端子１３、接続端子群１４、放音口１５等を備えている。
【００２２】
電源端子１３は、電源ケーブル（図示せず）を接続することで、プロジェクタ１に外部からＡＣ１００Ｖ等の商用電源を供給する。
【００２３】
接続端子群１４には、外部機器と接続ケーブルを介して接続される複数の接続端子が設置されている。接続端子としては、例えば、コンピュータ画像入力端子、コンピュータ音声入力端子、ビデオ画像入力端子、ビデオ音声入力端子、ＬＡＮ（Local Area Network）端子、ＵＳＢ（Universal Serial Bus）端子等がある。
【００２４】
放音口１５は、スピーカ装置の音声の出力部である。放音口１５は、筐体１０に微小な放音穴が複数開口しているものとしてもよいし、サランネット等で構成されているものとしてもよい。
【００２５】
図２および図３に示すように、プロジェクタ筐体用カバー２には、プロジェクタ１の筐体１０と対峙する面（前面２０ｂ）が開口する箱状のカバー本体２０、および、音響効果部としてのフロントロードホーン２２が形成されている。カバー本体２０は、合成樹脂等で形成されており、プロジェクタ筐体用カバー２の外壁を構成している。また、カバー本体２０には、挿通部２１が形成されている。なお、カバー本体２０は、合成樹脂に限定するものではない。
【００２６】
挿通部２１は、カバー本体２０の側面２０ｃに略矩形状に切欠された切欠部分であり、カバー本体２０をプロジェクタ１の筐体１０に取り付けると、挿通部２１は、カバー本体２０と筐体１０との間に囲まれた略矩形状の開口部を形成する。そして、開口部（挿通部２１）には、接続端子群１４に接続される接続ケーブルが挿通される。
【００２７】
フロントロードホーン２２は、カバー本体２０と同様の合成樹脂等で一体成形された円筒状のホーンであり、カバー本体２０の背面２０ａ側から前面２０ｂ側に突出するように設けられている。フロントロードホーン２２は、プロジェクタ１の放音口１５に向かい合う位置に形成され、カバー本体２０の前面２０ｂから背面２０ａに向かうに従って、開口面積が徐々に広がる形状を有している。なお、本実施形態では、フロントロードホーン２２は、カバー本体２０と同様の合成樹脂等で形成されているものとしたが、これに限定するものではない。
【００２８】
図４は、プロジェクタの筐体にプロジェクタ筐体用カバーを取り付けた際の斜視図である。
図４に示すように、プロジェクタ１の筐体１０にプロジェクタ筐体用カバー２を取り付けると、フロントロードホーン２２の前面側端部は、図２で示した放音口１５に当接し、スピーカ装置が出力する音声は、フロントロードホーン２２を介して外部に出力される。なお、本実施形態では、カバー本体２０とプロジェクタ１の筐体１０とは、図示しないねじ等によって固定されている。
【００２９】
図５は、プロジェクタの筐体にプロジェクタ筐体用カバーを取り付けた際の断面図である。同図（ａ）は、上面から見た断面図であり、同図（ｂ）は、側面から見た断面図である。
図５（ａ）、（ｂ）に示すように、プロジェクタ１は、スピーカ装置１６を備えている。スピーカ装置１６は、その前部（振動板側）が筐体１０の背面１０ｂに内側から面するように設置されている。また、スピーカ装置１６の振動板が面している筐体１０には放音口１５が形成されている。さらに、プロジェクタ１には、スピーカ装置１６の後部を箱状に囲むように後部エンクロージャ１７が形成されている。
【００３０】
プロジェクタ１の接続端子群１４には、接続ケーブルＣＢの一端が接続されている。接続ケーブルＣＢは、挿通部２１を介してカバー本体２０の外部に導出されており、接続ケーブルＣＢの他端は、パーソナルコンピュータやビデオ再生装置等の外部機器（図示せず）に接続されている。
【００３１】
次に、本実施形態のプロジェクタ１の機能構成について説明する。
図６は、本実施形態に係るプロジェクタの概略構成を示すブロック図である。
【００３２】
プロジェクタ１は、画像投写部６０、制御部７０、入力操作部１２、光源制御部７１、接続端子群１４、入力画像選択部８１、画像処理部８２、入力音声選択部９１、音声処理部９２、音声出力部９３、スピーカ装置１６等を備えている。また、図６には、プロジェクタ１の外部に、スクリーンＳＣを図示している。
【００３３】
画像投写部６０は、超高圧水銀ランプやメタルハライドランプ等の放電型光源やＬＥＤ（Light Emitting Diode）等の固体型光源からなる光源６１と、光変調装置としての液晶ライトバルブ６２と、投写光学系としての投写レンズ１１と、液晶ライトバルブ６２を駆動するライトバルブ駆動部６４とを備えている。
【００３４】
液晶ライトバルブ６２は、一対の透明基板間に液晶が封入された透過型液晶パネル等によって構成される。ライトバルブ駆動部６４の駆動によって、液晶ライトバルブ６２の各画素に画像信号に応じた駆動電圧が印加されると、各画素は、画像信号に応じた光透過率で光源光を透過させる。
【００３５】
光源６１から射出された光は、この液晶ライトバルブ６２を透過することによって変調され、変調後の光が投写レンズ１１によって投写されることにより、スクリーンＳＣ等に画像信号に応じた画像が表示される。
【００３６】
制御部７０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部７０は、ＣＰＵが不揮発性のメモリに記憶されている制御プログラムに従って動作することにより、プロジェクタ１の動作を統括制御する。
【００３７】
入力操作部１２は、プロジェクタ１に対して各種指示を行うための複数のキー等を備えている。入力操作部１２が備えるキーとしては、電源のオン／オフを行うための「電源キー」や、入力画像および入力音声を切り換えるための「入力ソース切換キー」、各種設定を行うためのメニュー画面の表示／非表示を切り換える「メニューキー」、メニュー画面におけるカーソルの移動等に用いられる「カーソルキー」、各種設定を決定するための「決定キー」等がある。ユーザが入力操作部１２を操作すると、入力操作部１２は、ユーザの操作内容に応じた操作信号を制御部７０に出力する。なお、入力操作部１２は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部７０に伝達する。
【００３８】
光源制御部７１は、制御部７０の指示に基づいて、光源６１に対する電力の供給と停止とを制御し、光源６１の点灯および消灯を切り換える。
【００３９】
接続端子群１４は、パーソナルコンピュータやビデオ再生装置等の外部機器（図示せず）から、各種形式の画像信号を入力することが可能な複数の接続端子１４ａを備えている。各接続端子１４ａに入力された画像信号は、入力画像選択部８１に供給される。また、接続端子群１４は、外部機器から、各種形式の音声信号を入力することが可能な複数の接続端子１４ｂを備えている。各接続端子１４ｂに入力された音声信号は、入力音声選択部９１に供給される。
【００４０】
入力画像選択部８１は、複数の接続端子１４ａのうち、制御部７０の指示に基づく１つの接続端子１４ａを選択し、この接続端子１４ａに入力される画像信号を画像処理部８２に出力する。ユーザが、入力操作部１２に備わる入力ソース切換キーを操作して所望の接続端子１４ａを指定すると、制御部７０は、この接続端子１４ａに入力されている画像信号が画像処理部８２に出力されるよう、入力画像選択部８１に指示をする。
【００４１】
画像処理部８２は、入力画像選択部８１から入力される各種形式の画像信号を、液晶ライトバルブ６２の各画素の階調を表す画像データ、即ち各画素に印加する駆動電圧を規定するための画像データに変換する。さらに、制御部７０の指示に基づいて、変換した画像データに対して、明るさ、コントラスト、シャープネス、色合い等を調整するための処理等を行う。画像処理部８２で画質調整等がなされた画像データは、ライトバルブ駆動部６４に出力される。
【００４２】
入力音声選択部９１は、複数の接続端子１４ｂのうち、制御部７０の指示に基づく１つの接続端子１４ｂを選択し、この接続端子１４ｂに入力される音声信号を音声処理部９２に出力する。ユーザが、入力操作部１２に備わる入力ソース切換キーを操作して所望の接続端子１４ｂを指定すると、制御部７０は、この接続端子１４ｂに入力されている音声信号が音声処理部９２に出力されるよう、入力音声選択部９１に指示をする。なお、入力音声選択部９１は、入力画像選択部８１が選択する接続端子１４ａに連動して接続端子１４ｂを選択するものとしてもよい。
【００４３】
音声処理部９２は、制御部７０の指示に基づいて、入力音声選択部９１から入力される音声信号に、その出力特性を調整するための処理を施す。音声処理部９２で調整処理がされた音声信号は、音声出力部９３に出力される。
【００４４】
音声出力部９３は、増幅回路等（図示せず）を備えており、音声処理部９２から入力した音声信号に基づく音声をスピーカ装置１６から出力する。
【００４５】
次に、本実施形態のプロジェクタ１の動作について説明する。
プロジェクタ１に外部からＡＣ１００Ｖ等の商用電源が供給されると、電源回路（図示せず）は、制御部７０、入力操作部１２等に電力（スタンバイ電力）の供給を行う。制御部７０は、この電力供給を受けて、制御プログラムに従った動作を開始する。商用電源が供給された直後には、プロジェクタ１は、スタンバイ状態であり、この状態では、制御部７０は、入力操作部１２の電源キーに対する操作（オン操作）を監視する。そして、このオン操作を検知すると、制御部７０は、電源回路に指示をして画像の投写等に必要なメイン電力の供給を開始させ、プロジェクタ１をオン状態とするとともに、光源６１を点灯させる等の必要な初期動作を行う。この結果、プロジェクタ１に入力された画像信号に応じた画像が画像投写部６０から投写され、プロジェクタ１に入力された音声信号に応じた音声がスピーカ装置１６から出力される。
【００４６】
上述した構成において、プロジェクタ１にプロジェクタ筐体用カバー２を取り付けて、パーソナルコンピュータやビデオ再生装置等の外部機器から接続端子１４ｂに音声信号を入力すると、プロジェクタ１のスピーカ装置１６は、音声信号に基づく音声を出力し、その音声はフロントロードホーン２２を介して外部に出力される。
【００４７】
上述した実施形態によれば、以下の効果が得られる。
（１）プロジェクタ筐体用カバー２には、音響効果部としてフロントロードホーン２２が形成されている。これにより、プロジェクタ１の筐体１０にプロジェクタ筐体用カバー２を取り付けた際に、音響効果処理として、スピーカ装置１６が出力する音声の中域および高域を増強させることができる。よって、ホーンが形成されていないプロジェクタ筐体用カバーを取り付けた場合と比較して、音声の音圧の低下および音質の劣化を抑制することができる。また、音声の中域および高域を増強させることにより、人物が話す台詞等が聞き取りやすくなる。また、このようなフロントロードホーン２２は、中域、高域用のスピーカに効果があるため、中域、高域用のスピーカが備えられたプロジェクタに好適である。
【００４８】
（２）プロジェクタ１の筐体１０にプロジェクタ筐体用カバー２を取り付けた場合には、プロジェクタ１を単体で使用した場合と比較して、フロントロードホーン２２によって能率が向上し、出力される音声を遠くまで届かせることが可能となる。また、音響の指向性を向上することができる。
【００４９】
（３）フロントロードホーン２２は、カバー本体２０と一体成形されているため、別部材を必要とせず、また、部品数を増やすことなく音圧の低下および音質の劣化を抑制することが可能となる。
【００５０】
（４）フロントロードホーン２２は、プロジェクタ筐体用カバー２のカバー本体２０と一体成形されているため、プロジェクタ筐体用カバー２の外観を損なうことがない。すわなち、プロジェクタ１にプロジェクタ筐体用カバー２を取り付けた場合でも、プロジェクタ１全体の外観を損なうことがない。
【００５１】
（第２の実施形態）
以下、第２の実施形態について説明する。
【００５２】
本実施形態に係るプロジェクタ筐体用カバーには、第１の実施形態に係るプロジェクタ筐体用カバー２のフロントロードホーン２２の替わりに、ポートを備えたケルトン形エンクロージャを構成するための仕切板およびポートが形成されている。その他の構成等は第１の実施形態と同様である。
【００５３】
図７、図８および図９を用いて、プロジェクタ筐体用カバーについて説明する。
図７は、プロジェクタに第２の実施形態に係るプロジェクタ筐体用カバーを取り付けた際の斜視図である。
図８は、第２の実施形態に係るプロジェクタ筐体用カバーを前面側から見た斜視図である。
図９は、プロジェクタに第２の実施形態に係るプロジェクタ筐体用カバーを取り付けた際の断面図である。同図（ａ）は、上面から見た断面図であり、同図（ｂ）は、側面から見た断面図である。
【００５４】
図７、図８および図９に示すように、プロジェクタ筐体用カバー３には、挿通部３１が形成されたカバー本体３０、および、音響効果部としての仕切板３２およびポート３３が形成されている。
【００５５】
挿通部３１は、第１の実施形態と同様に、カバー本体３０をプロジェクタ１の筐体１０に取り付けた際に、接続ケーブルＣＢを挿通可能な開口部を形成する。
【００５６】
仕切板３２は、カバー本体３０と一体成形された板状の部材であり、放音口１５の音声出力方向に箱状の空間を形成するように、カバー本体３０の側面３０ｄと略並行で、且つ、背面３０ａに略直角に成形されている。放音口１５の音声出力方向に箱状の空間が形成されることで、カバー本体３０の背面３０ａ、側面３０ｄ、仕切板３２、上面、底面、および筐体１０で囲まれたケルトン形エンクロージャ３４が構成される。なお、仕切板３２はカバー本体３０と同様の合成樹脂に限定するものではない。
【００５７】
ポート３３は、カバー本体３０と一体成形され、ケルトン形エンクロージャ３４の内部と外部を連通するダクトである。ポート３３は、ケルトン形エンクロージャ３４の背面３０ａ側の面に、カバー本体３０の前面３０ｂ方向に略直角に突出するように設けられ、音響出力用のポートとして機能する。なお、図７、図８および図９では、ポート３３が形成される位置は、スピーカ装置１６の中央に対向した位置としているが、これに限定するものではない。
【００５８】
上述した構成によって、プロジェクタ１の筐体１０にプロジェクタ筐体用カバー３を取り付けて、パーソナルコンピュータやビデオ再生装置等の外部機器から接続端子１４ｂに音声信号を入力すると、プロジェクタ１のスピーカ装置１６は、音声信号に基づく音声を出力し、その音声はケルトン形エンクロージャ３４を介してポート３３から外部に出力される。
【００５９】
上述した第２の実施形態によれば、以下の効果が得られる。
（１）プロジェクタ筐体用カバー３は、音響効果部としてポート３３を備えたケルトン形エンクロージャ３４を構成している。これにより、プロジェクタ１の筐体１０にプロジェクタ筐体用カバー３を取り付けた際に、音響効果処理として、スピーカ装置１６が出力する音声の低域を増強させることができる。このように音声の低域を増強させることにより、迫力のある音声を出力することができる。また、このようなケルトン形エンクロージャ３４は、低域用のスピーカに効果があるため、低域用のスピーカが備えられたプロジェクタに好適である。
【００６０】
（２）仕切板３２およびポート３３は、プロジェクタ筐体用カバー３のカバー本体３０と一体成形されているため、別部材を必要とせず、また、部品数を増やすことなくケルトン形エンクロージャ３４を形成して音声の低域の増強を図ることができる。
【００６１】
（３）仕切板３２およびポート３３は、プロジェクタ筐体用カバー３のカバー本体３０と一体成形されているため、プロジェクタ筐体用カバー３の外観を損なうことがない。すわわち、プロジェクタ１にプロジェクタ筐体用カバー３を取り付けた場合でも、プロジェクタ１全体の外観を損なうことがない。
【００６２】
（第３の実施形態）
以下、第３の実施形態について説明する。
【００６３】
本実施形態に係るプロジェクタ筐体用カバーのカバー本体には、第２の実施形態に係るプロジェクタ筐体用カバー３のポート３３の替わりに、パッシブラジエータを備えたケルトン形エンクロージャを構成するためのパッシブラジエータが形成されている。その他の構成等は第２の実施形態と同様である。
【００６４】
図１０、図１１および図１２を用いて、プロジェクタ筐体用カバーについて説明する。
図１０は、プロジェクタに第３の実施形態に係るプロジェクタ筐体用カバーを取り付けた際の斜視図である。
図１１は、第３の実施形態に係るプロジェクタ筐体用カバーを前面側から見た斜視図である。
図１２は、プロジェクタに第３の実施形態に係るプロジェクタ筐体用カバーを取り付けた際の断面図である。同図（ａ）は、上面から見た断面図であり、同図（ｂ）は、側面から見た断面図である。
【００６５】
図１０、図１１および図１２に示すように、プロジェクタ筐体用カバー４には、挿通部４１が形成されたカバー本体４０、および、音響効果部としての仕切板４２およびパッシブラジエータ４３が形成されている。
【００６６】
挿通部４１は、第２の実施形態と同様に、接続ケーブルＣＢを挿通可能な開口部を形成する。また、仕切板４２によって、第２の実施形態と同様に、放音口１５の音声出力方向に箱状の空間を形成することで、カバー本体４０の背面４０ａ、側面４０ｄ、仕切板４２、上面、底面、および筐体１０で囲まれたケルトン形エンクロージャ４４が構成される。
【００６７】
パッシブラジエータ４３は、コーン紙等の振動板により構成され、ケルトン形エンクロージャ４４の背面４０ａ側の面に設置されている。パッシブラジエータ４３は、スピーカ装置１６の音響出力に対応して振動し、外部に音声を出力する。なお、図１０、図１１および図１２では、パッシブラジエータ４３が形成される位置は、スピーカ装置１６の中央に対向した位置としているが、これに限定するものではない。
【００６８】
上述した構成によって、プロジェクタ１の筐体１０にプロジェクタ筐体用カバー４を取り付けて、パーソナルコンピュータやビデオ再生装置等の外部機器から接続端子１４ｂに音声信号を入力すると、プロジェクタ１のスピーカ装置１６は、音声信号に基づく音声を出力し、その音声はケルトン形エンクロージャ４４を介してパッシブラジエータ４３から外部に出力される。
【００６９】
上述した第３の実施形態によれば、以下の効果が得られる。
（１）プロジェクタ筐体用カバー４は、音響効果部としてパッシブラジエータ４３を備えたケルトン形エンクロージャ４４を構成している。これにより、プロジェクタ１の筐体１０にカバー本体４０を取り付けた際に、音響効果処理として、スピーカ装置１６が出力する音声の低域を増強させることができる。このように音声の低域を増強させることにより、迫力のある音声を出力することができる。また、このようなケルトン形エンクロージャ４４は、低域用のスピーカに効果があるため、低域用のスピーカが備えられたプロジェクタに好適である。
【００７０】
なお、上述した実施形態に限定されず、種々の変更や改良等を加えて実施することが可能である。変形例を以下に述べる。
【００７１】
（変形例１）上記第１の実施形態では、フロントロードホーン２２は、カバー本体２０の背面２０ａに開口しているものとしたが、例えば図１３に示すように側面に開口するものとしてもよい。
図１３は、プロジェクタに本変形例に係るプロジェクタ筐体用カバーを取り付けた際の断面図である。同図（ａ）は、上面から見た断面図であり、同図（ｂ）は、側面から見た断面図である。
フロントロードホーン５２は、カバー本体５０の前面５０ｂから側面５０ｄに向かうに従って、開口面積が徐々に広がる円筒状のホーンである。こうすれば、フロントロードホーン５２の開口部が背面５０ａにないため、プロジェクタ１にプロジェクタ筐体用カバー５を取り付けた場合でも、背面側から見た場合の外観を損なうことがない。
【００７２】
（変形例２）上記第２の実施形態および第３の実施形態では、ポート３３およびパッシブラジエータ４３を、ケルトン形エンクロージャの背面側に設けるものとしたが、背面以外（例えば、側面や上面、底面等）に設けるものとしてもよい。
【００７３】
（変形例３）上記実施形態では、カバー本体とプロジェクタ１の筐体１０とは、図示しないねじ等によって固定されているものとしたが、固定手段はねじに限定するものではない。また、カバー本体とプロジェクタ１の筐体１０とを固定する際に、カバー本体と筐体１０との間にパッキン等を挟むものとしてもよい。これにより、フロントロードホーン２２や、ケルトン形エンクロージャ３４，４４の密閉性を高めることが可能となり、音圧の低下および音質の劣化をさらに抑制することができる。
【００７４】
（変形例４）上記実施形態のプロジェクタ１では、光変調装置として、透過型の液晶ライトバルブ６２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【図面の簡単な説明】
【００７５】
【図１】第１の実施形態に係るプロジェクタを前面から見た斜視図。
【図２】プロジェクタおよびプロジェクタ筐体用カバーを背面から見た斜視図。
【図３】プロジェクタ筐体用カバーを前面側から見た斜視図。
【図４】プロジェクタの筐体にプロジェクタ筐体用カバーを取り付けた際の斜視図。
【図５】プロジェクタの筐体にプロジェクタ筐体用カバーを取り付けた際の断面図であり、（ａ）は、上面から見た断面図、（ｂ）は、側面から見た断面図。
【図６】プロジェクタの概略構成を示すブロック図。
【図７】プロジェクタに第２の実施形態に係るプロジェクタ筐体用カバーを取り付けた際の斜視図。
【図８】プロジェクタ筐体用カバーを前面側から見た斜視図。
【図９】プロジェクタにプロジェクタ筐体用カバーを取り付けた際の断面図であり、（ａ）は、上面から見た断面図、（ｂ）は、側面から見た断面図。
【図１０】プロジェクタに第３の実施形態に係るプロジェクタ筐体用カバーを取り付けた際の斜視図。
【図１１】プロジェクタ筐体用カバーを前面側から見た斜視図。
【図１２】プロジェクタにプロジェクタ筐体用カバーを取り付けた際の断面図であり、（ａ）は、上面から見た断面図、（ｂ）は、側面から見た断面図。
【図１３】プロジェクタに変形例に係るプロジェクタ筐体用カバーを取り付けた際の断面図であり、（ａ）は、上面から見た断面図、（ｂ）は、側面から見た断面図。
【符号の説明】
【００７６】
１…プロジェクタ、２，３，４，５…プロジェクタ筐体用カバー、１０…筐体、１１…投写レンズ、１２…入力操作部、１３…電源端子、１４…接続端子群、１４ａ，１４ｂ…接続端子、１５…放音口、１６…スピーカ装置、１７…後部エンクロージャ、２０，３０，４０，５０…カバー本体、２１，３１，４１…挿通部、２２，５２…フロントロードホーン、３２，４２…仕切板、３３…ポート、３４，４４…ケルトン形エンクロージャ、４３…パッシブラジエータ、６０…画像投写部、６１…光源、６２…液晶ライトバルブ、６４…ライトバルブ駆動部、７０…制御部、７１…光源制御部、８１…入力画像選択部、８２…画像処理部、９１…入力音声選択部、９２…音声処理部、９３…音声出力部。
【図１】
2009157149.tif 000003
【図２】
2009157149.tif 000004
【図３】
2009157149.tif 000005
【図４】
2009157149.tif 000006
【図５】
2009157149.tif 000007
【図６】
2009157149.tif 000008
【図７】
2009157149.tif 000009
【図８】
2009157149.tif 000010
【図９】
2009157149.tif 000011
【図１０】
2009157149.tif 000012
【図１１】
2009157149.tif 000013
【図１２】
2009157149.tif 000014
【図１３】
2009157149.tif 000015